(57)【要約】      （修正有）【課題】閉止状態で仕切られる室内外の空調の平準化を可能とし、プライバシーもある程度確保でき、かつデザイン性も高い室内用ドアパネルを提供する。【解決手段】室内外を区画する壁部１に形成された出入り用開口部を開閉可能に仕切る室内用ドアパネル５である。ドアパネル５は、金属薄板により形成され、金属薄板にはパンチングメタル加工により、その表裏を貫通する多数の小孔１０ａが開口形成され、小孔１０ａの群により室内外の通気性を付与した。【選択図】図１
0003186939.tif 000002
【実用新案登録請求の範囲】
【請求項１】
室内外を区画する壁部（１）に形成された出入り用開口部（４）を開閉可能に仕切る室内用ドアパネル（５）において、
前記ドアパネル（５）は、金属薄板により形成され、該金属薄板にはパンチングメタル加工により、その表裏を貫通する多数の小孔（１０ａ）が開口形成され、該小孔（１０ａ）の群により室内外の通気性を付与したことを特徴とする室内用ドアパネル。
【請求項２】
前記ドアパネル（５）に形成された多数の前記小孔（１０ａ）の群により、ドアパネル（５）の一カ所又は複数箇所に、自然模様、幾何学模様、ロゴマーク模様、文字模様などの、まとまった模様（１０）が表出されていることを特徴とする請求項１記載の室内用ドアパネル。
【考案の詳細な説明】
【技術分野】
【０００１】
本考案は通気性、通風性をもたせた室内用ドアパネルに関するものである。
【背景技術】
【０００２】
周知のごとく室内用ドアパネルは、壁で区画された室内と廊下、隣合う室同士などの室内外を開閉可能に仕切るための建具であり、従来技術として例えばスイングドアおよびドアパネルの製造方法が掲げられる（特許文献１参照）。
【０００３】
ドアパネルの閉止状態では、室内外は仕切られ、通気、通風も遮断されることにより、両室内の温湿度雰囲気はドアパネルを境としてほぼ個別に保たれる。
またドアパネルに窓を設けることにより、ドア閉止時における室内同士あるいは一方の室内から他方の室内に対する視認性もある確保出来る。視野は窓の大きさに限定され、これに加えて窓にマジックミラー、すりガラスなどを嵌め込んでおけば、一方側から他方側が見えても他方側からは見えないか、あるいは双方の気配を感ずる程度となり、プライバシーもある程度保たれる。
【先行技術文献】
【特許文献】
【０００４】
【特許文献１】特開２００６−２４９８５７号公報
【考案の概要】
【考案が解決しようとする課題】
【０００５】
従来では、ドア閉止時における両室内の通気、通風性はもたらされていなかったため、冷暖房などの空調は両室内毎に個別に行わなければならなかった。
【０００６】
例えば食品を取扱っている店舗において、夏期における売場内では、各種冷却飲料や、冷房、冷凍商品を展示販売する必要上、売場内では軽負荷冷房であっても必要以上に低温化し易い一方で、売場にドアパネルを隔てて通ずる倉庫、従業員控室などの予備室は、売場側での冷凍排熱が加わるため、高温化し冷房負荷も大となっていた。逆に冬季では売場側の暖房負荷が高く、倉庫、予備室側の暖房負荷は小さくなっていた。勿論両室内を仕切るドアパネルを開け放しておけば、両室内はドア開口部を通じて空気が流通し、空調雰囲気は平準化されるものの、防盗上や店員のプライバシー確保上からも好ましいものではない。
【０００７】
また店舗に限らず、ドアパネルを挟む室内外の温度差が大きいと、一方から他方に出入りする際にいわゆる熱ショックなどが生ずることもあり、健康上も好ましいことではなかった。
【０００８】
本考案は以上の課題を解決するものであり、その目的はドアパネルの閉止状態であっても、これによって仕切られる室内外の空調の平準化を可能とし、またプライバシーもある程度確保でき、かつデザイン性も高い室内用ドアパネルを提供するものである。
【課題を解決するための手段】
【０００９】
前記目的を達成するため本考案は、室内外を区画する壁部（１）に形成された出入り用開口部（４）を開閉可能に仕切る室内用ドアパネル（５）において、前記ドアパネル（５）は、金属薄板により形成され、該金属薄板にはパンチングメタル加工により、その表裏を貫通する多数の小孔（１０ａ）が開口形成され、該小孔（１０ａ）の群により室内外の通気性を付与したことを特徴とする。
【００１０】
また本考案は、前記ドアパネル（５）に形成された多数の前記小孔（１０ａ）の群により、ドアパネル（５）の一カ所又は複数箇所に、自然模様、幾何学模様、ロゴマーク模様、文字模様などの、まとまった模様（１０）が表出されていることを特徴とする。
【考案の効果】
【００１１】
本考案では、多数の小孔の群により室内外の通気、通風性は確保されるため、ドアパネルの閉止状態でも室内外における空調負荷は平準化され、温湿度差も僅少となる。またドアパネルを隔てて対峙する人は小孔を通じて相手側を見ようとしても、単なる輪郭程度にしか認識されないため、プライバシーもある程度確保でき、さらに明暗差などにより、ドアパネルを介して対向する相手側の室内の照明の有無も確認可能である。
【００１２】
請求項２記載の考案では、通気、通風機能に加え、ドアパネル表面に自然模様、幾何学模様、ロゴマーク模様、文字模様などの模様が形成され、美観の点でも優れている。
【図面の簡単な説明】
【００１３】
【図１】本考案の第１実施形態による両開き式スィングドアの正面図である。
【図２】同平断面図である。
【図３】第２実施形態による両開き式スィングドアの正面図である。
【図４】第３実施形態による両開き式スィングドアの正面図である。
【考案を実施するための形態】
【００１４】
以下、本考案を適用した実施の形態例を図１〜４を参照して説明する。図１、図２は、本考案を両開き式スイングドアに適用した第１の実施形態を示すもので、室内外を区画する壁部１と、床面２との間には三方枠３によって画成された縦長長方形の出入口用開口部４が形成され、この開口部４には、ドアパネルとなる両開き式スイングドアを構成する左右一対のドアパネル５，５が配置されている。
【００１５】
各ドアパネル５の上部および下部側回動基端には、トップおよびボトムピンブラケット６，７が挿通され、各ピンブラケット６，７の挿通位置を回動基端として両ドアパネル５を室内外に向けて開閉可能としている。
【００１６】
また、各ブラケット６，７挿通位置におけるドアパネル５の表面には、上部および下部ヒンジカバー８，９が装着されている。なお、両ドアパネル５は図示しないばね機構などにより、常時各ドアパネル５を図１に示す閉止位置に付勢し、室内外のいずれからでもドアパネル５の開閉端を押すことにより、そのばね圧に抗して、ドアパネル５を両開き状に開き、押圧力がなくなった状態で各ドアパネル５を室内外側に向けて揺動減衰させながら順次閉止位置に停止させるようになっている。
【００１７】
各ドアパネル５は、ガルバニウム（アルミ−亜鉛合金メッキ鋼板）、アルミ、カラー鋼板などからなる金属薄板により構成され、パンチングメタル加工により、図１の一部に拡大して示すように、多数の小孔１０ａを打抜き形成することにより、両ドアパネル５の表面にそれぞれ２重同心円状の円模様により形成される模様１０を縦方向に３つずつ、合計６箇所に形成したものである。この模様１０は、ドアパネル５の表面において、前記小孔１０ａの群である集合体と一般部の境界を輪郭として形成される意匠模様であり、前記各小孔１０ａがドアパネル５の表裏を貫通することにより、ドアパネル５に通気、通風性を付与している。
【００１８】
以上により図１に示すように、両ドアパネル５が閉止状態であっても、ドアパネル５によって仕切られる室内外の空調は平準化され、温湿度の極端な差異はないものとなる。例えば、ドアパネル５を挟む手前側（向い側）のみ空調を施しておけば、相手側の室内の空調を特段に施すことがなくてもドアパネル５を挟む両室内の空調雰囲気はほぼ同様となり、空調機器の共用化を図ることが出来るほか、両室内を個別空調しても、その温湿度差を僅少に出来るため、その空調負荷も削減できる。
【００１９】
さらにドアパネル５を挟んで対時する人同士は、小孔１０ａ部分のみ通じてしか相手側を見ることが出来ないので、相手側の気配、輪郭をおぼろげながら認識できる程度であり、ある程度のプライバシーを保つことが出来る。加えて、ドアパネル５を挟む室内外の明るさが異なる場合には、小孔１０ａを通じて室内外の明暗差が識別されるため、模様１０を明確に表出するとともに、相手側室内の照明の有無も直ちに識別できる。
【００２０】
図３は本考案の第２実施形態を示す。なお以下の説明からは前記第１実施形態と同一部分には同一符号を付してその説明を省略する。本実施形態では、両ドアパネル５の開閉端側にパンチングメタル加工により縦方向多数の小孔が打抜き形成された長方形模様２０を形成した以外は第１実施形態と同じであり、その作用効果も第１実施形態と同じである。
【００２１】
図４は、本考案の第３実施形態を示す。図に向って左側のドアパネル５にはパンチングメタル加工により、多数の小孔により上から順にＡＢＣなる形状のロゴ模様３１，３２，３３が形成され、右側ドアパネル５には同じくパンチングメタル加工により、ＤＥＦなる形状のロゴ模様３４，３５，３６が形成されている以外は第１実施形態と同じであり、その作用効果も第１実施形態と同じである。
【００２２】
なお、第３実施形態においてロゴ模様としては、アルファベット以外の文字でも良いし、単なるＡＢＣＤＥＦ・・・なる配列だけでなく、特にドアパネル５が商業目的により使用される場合には、商号や、取扱商品の商標などの模様も表示可能であるほか、アニメなどのキャラクター模様なども小孔の集合体のデザインに応じて表示可能であることも勿論である。
【符号の説明】
【００２３】
１  壁部
２  床面
３  三方枠
４  ドア用開口部
５  ドアパネル
６  トップピンブラケット
７  ボトムピンブラケット
８  上部ヒンジカバー
９  下部ヒンジカバー
１０  模様
１０ａ  小孔  
２０  模様
３１，３２，３３，３４，３５，３６  模様
【図１】
0003186939.tif 000003
【図２】
0003186939.tif 000004
【図３】
0003186939.tif 000005
【図４】
0003186939.tif 000006